(57)【要約】この発明は、運転室に到達するための、あるいは例えば移動式クレーンのような移動式装置の下部構造における歩行デッキへ登るための、引き出し可能な折りたたみ式登り補助器具に関し、この登り補助器具は、脚立（１）と、輸送目的用に脚立（１）を保持しかつ登り補助器具として使用するために脚立（１）を外へ移動可能である保持手段（２）と、脚立（１）の少なくとも一つの端部用のガイドで保持手段（２）によって形成されるかあるいは保持手段（２）に接続されるガイド（３）とを備え、ガイド（３）及び脚立（１）の一つの端は、共に、脚立（１）が移動式装置に関して旋回可能である接合箇所（４）を形成し、脚立（１）は、少なくとも内側及び外側の引き出し式エレメント（１１，１２，１３）を有する入れ子式脚立（１）であり、保持手段（２）は、移動式装置に接続あるいは接続可能である。（図１）
2015516332.tif 000002
【特許請求の範囲】
【請求項１】
運転室に到達するための、あるいは移動式装置、例えば移動式クレーン、の下部構造の歩行デッキに登るための引き出し可能な折りたたみ式登り補助器具であって、
脚立（１）と、
輸送目的のため脚立（１）を保持し、登り補助器具として使用されるため脚立（１）が外へ移動可能である保持手段（２）と、
脚立（１）の少なくとも一つの端部用のガイドであって、保持手段（２）によって形成されるかあるいは保持手段（２）に接続されるガイド（３）と、を備え、
ガイド（３）と脚立（１）の一つの端部とは、移動式装置に関して脚立（１）が旋回可能な接合箇所（４）を共に形成し、
脚立（１）は、少なくとも内側及び外側の引き出し式エレメント（１１、１２、１３）を有する入れ子式脚立（１）であり、
保持手段（２）は、移動式装置に接続するあるいは接続可能である、
引き出し可能な折りたたみ式登り補助器具。
【請求項２】
少なくとも一つの内側引き出し式エレメント（１１、１２）は、脚立（１）が引き込まれ及び伸ばされているとき、少なくとも一つの外側引き出し式エレメント（１２、１３）の横木（５）によってガイドされる、請求項１に記載の引き出し可能な折りたたみ式登り補助器具。
【請求項３】
脚立（１）は、接合箇所（４）においてストッパ（６）まで旋回可能である、請求項１又は２に記載の引き出し可能な折りたたみ式登り補助器具。
【請求項４】
脚立（１）の引き出し式エレメント（１１、１２、１３）は、取り外しできない方法で互いに接続され、かつ、少なくとも引き込まれた状態において望まない引き伸ばし及び／又は保持手段（２）の外への望まない移動を防止するように固定される、請求項１から３のいずれかに記載の引き出し可能な折りたたみ式登り補助器具。
【請求項５】
それぞれの内側引き出し式エレメント（１１、１２）は、次の外側引き出し式エレメント（１２、１３）においてガイドされ、及び／又は取り外しできない方法においてその中に保持される、請求項１から４のいずれかに記載の引き出し可能な折りたたみ式登り補助器具。
【請求項６】
それぞれの内側引き出し式エレメント（１１、１２）は、脚立（１）が引き伸ばされるとき、次の外側引き出し式エレメント（１２、１３）よりも少ない一つの横木を有する、請求項１から５のいずれかに記載の引き出し可能な折りたたみ式登り補助器具。
【請求項７】
内側引き出し式エレメント（１１、１２）の最上の横木（５）は、次の外側引き出し式エレメント（１２、１３）の最下の横木（５）と合わせて共通の横木を形成する、請求項４から６のいずれかに記載の引き出し可能な折りたたみ式登り補助器具。
【請求項８】
入れ子式の引き出し式エレメント（１１、１２、１３）は、互いに関して旋回できない、請求項１から７のいずれかに記載の引き出し可能な折りたたみ式登り補助器具。
【請求項９】
保持手段（２）の外へ脚立（１）を少なくとも部分的に移動可能とする駆動装置を有する、請求項１から８のいずれかに記載の引き出し可能な折りたたみ式登り補助器具。
【請求項１０】
脚立（１）が保持手段に完全に収容された状態において保持手段（２）及び脚立（１）のどちらも運転室あるいは下部構造の歩行デッキ（７）の端を越えて突出しないように、保持手段（２）は、運転室あるいは下部構造の歩行デッキ（７）の下に完全に配置される、請求項１から９のいずれかに記載の引き出し可能な折りたたみ式登り補助器具。
【請求項１１】
下部構造及び／又は運転室を有する移動式装置であって、
請求項１から１０のいずれかに記載の引き出し可能な折りたたみ式登り補助器具を有し、
この折りたたみ式登り補助器具は、運転室及び／又は下部構造のデッキ（７）の下の場所に配置される、
移動式装置。
【発明の詳細な説明】
【技術分野】
【０００１】
この発明は、例えば移動式クレーンのような移動式装置用の引き出し可能な折りたたみ式登り補助器具に関し、保持手段と、輸送目的のために保持手段に保持可能で、登り補助器具として使用するため保持手段の外へ移動可能である脚立とを備える。この折りたたみ式登り補助器具は、さらに、脚立の少なくとも一つの端部用のガイドを備え、このガイドは、保持手段によって形成され、あるいは保持手段に接続される。ガイド及び脚立の一端部は、共に、脚立が移動式装置に関して旋回可能である接合箇所を形成する。脚立は、少なくとも内側及び外側の引き出し式エレメントを有する入れ子式の脚立である。保持手段は、移動式装置に接続されるか、あるいは接続可能である。
【背景技術】
【０００２】
運転室に、及び／又は移動式装置の下部構造の歩行デッキに到達する手段として現在までに使用される登り補助器具は、通常、車両の車軸間で移動式装置の片側に装着され、一般に車両に固定して一体化されている。そのような登り補助器具は、例えばＤＥ２０２００８００７８７２Ｕ１から既知である。ここに開示される脚立は、長さに沿って複数の部品に分割され、それらの部品は蝶番周りに互いに旋回可能であり、脚立はそれ自身、移動式装置から外へ他の関節式接合箇所の周りに旋回可能である。
【０００３】
あるいはまた、宙づり（hang-in）の脚立が既知である。これは移動式装置に固定して接続されておらず、特別な状況において、例えば必要なときに、移動式装置に単に取り付けられる。使用されていないとき、それらは移動式装置のいずれかの場所にしまい込まれる。例えば、ＤＥ１０２００５０１１４８３Ａ１は、自動車両に対して置くことができ、輸送目的のために車両の屋根に固定することができる脚立を開示している。
【０００４】
最後に、揺れ動く設計に基づいた脚立もまた既知である。これは、通常固定して移動式装置に接続されており、移動式装置が移動しているとき、歩行デッキあるいは他の適切な場所に積まれる。それを使用するために、旋回する脚立は、移動式装置の外面に関して旋回することができる。このような旋回する脚立は、ＵＳ６,０２９,７７５、ＤＥ２０２００９０１００３５Ｕ１、及びＷＯ２００７／０６２４６４Ａ１から既知である。
【先行技術文献】
【特許文献】
【０００５】
【特許文献１】ＤＥ２０２００８００７８７２Ｕ１
【特許文献２】ＤＥ１０２００５０１１４８３Ａ１
【特許文献３】ＵＳ６,０２９,７７５
【特許文献４】ＤＥ２０２００９０１００３５Ｕ１
【特許文献５】ＷＯ２００７／０６２４６４Ａ１
【発明の概要】
【発明が解決しようとする課題】
【０００６】
この発明の一つの目的は、コンパクトな構造で、移動式装置に容易に接続することができる、移動式装置用の折りたたみ式登り補助器具を提案することである。別の目的は、そのような折りたたみ式登り補助器具を有する移動式装置を提案することである。
【課題を解決するための手段】
【０００７】
これらの目的は、請求項１に規定される、折りたたみ式登り補助器具（fold-down climbing aid）、及び請求項１１に規定される移動式装置によって達成される。
【０００８】
この発明は、運転室に到達するための、あるいは例えば移動式クレーンのような移動式装置の下部構造における歩行デッキへ登るための、引き出し可能な折りたたみ式登り補助器具に関する。
【０００９】
引き出し可能な折りたたみ式登り補助器具は、脚立（stepladder）と保持手段とを備え、脚立は、移動式装置の輸送のために及び輸送の間、保持手段に保持され、登り補助器具として使用するため保持手段の外へ移動可能である。折りたたみ式登り補助器具は、さらに、脚立の少なくとも一つの端部用のガイドを備える。このガイドは、保持手段によってあるいは保持手段の一部によって形成され、あるいは、保持手段に接続される。
【００１０】
ガイド及び脚立の一つの端は、脚立が移動式装置に関して旋回可能である接合箇所を共に形成する。
【００１１】
脚立は、少なくとも一つの内側及び少なくとも一つの外側の引き出し式エレメントを有する入れ子式脚立である。保持手段は、移動式装置に接続されるか、接続可能である。
【００１２】
保持手段は、また、折りたたみ式登り補助器具が移動式装置に取り付けられるように準備されているとき、脚立が完全に収容される一種の箱として設計されてもよい。脚立を有する保持手段は、ワンピースとして移動式装置に接続することができ、使用しないときには、脚立は、保持手段に完全に収容され、使用のために保持手段の外へ移動される。保持手段箱は、脚立が汚れ及び盗難から保護されるように閉じることができ好ましくはロック可能なカバーを有してもよい。
【００１３】
あるいはまた、ガイドは、例えば２つのＵ字型の棒の形態で提供されてもよく、これはまた同時に、脚立用の保持手段を構成する。しかしながら、ガイドは、保持手段に加えて設けられてもよく、例えば溶接されあるいはネジ止めで保持手段に接続されてもよい。
【００１４】
ガイドとの結合において接合箇所を形成する脚立の端は、取り外しができない方法にてガイドに好ましくは保持される。言い換えれば、脚立は、完全にガイドの外へ引き出すことができず、引き出された状態において接合箇所におけるガイドにも接続される。
【００１５】
特にコンパクトな脚立の構造が得られることを可能にするために、脚立が引き込まれ及び拡張されるとき、少なくとも一つの内側引き出し式エレメントが少なくとも一つの外側引き出し式エレメントの横木（rungs）によってガイドされるのが好ましい。言い換えれば、それぞれの外側引き出し式エレメントは、それぞれ次の内側引き出し式エレメント用の一種のケーシングを形成し、外側引き出し式エレメントの長手方向の側面の内面は、内側引き出し式エレメントの長手方向の側面の外面用のガイドとして作用する。外側引き出し式エレメントの少なくとも横木は、長手方向の側面とともにフレームを形成し、その開口を通して、内側引き出し式エレメントは外側引き出し式エレメントへ押し込むことができる。内側引き出し式エレメントがそれぞれ次の外側引き出し式エレメントにガイドされることができるだけでなく、それらはまた取り外しできない方法で保持されることができる。
【００１６】
平坦部分あるいは山形部分が脚立の長手方向の側面に関して使用され、各横木は２つの平坦部分によって形成され、そのうちの一つは脚立の前面で長手方向の側面の一つを構成し、一方、他方は脚立の裏面で長手方向の側面を互いに接続している。長手方向の側面が山形部分、例えばＵ−部分あるいはＶ−部分の形で提供される場合、それは、脚立の前面だけに、脚立の裏面だけに、あるいは脚立の前面及び裏面に交互に横木を配置することでも十分かもしれない。それらの部分は、例えば鋼、アルミニウムあるいはプラスチック部分であってもよい。
【００１７】
引き出された状態において、外側引き出し式エレメントの最下の横木、及び内側引き出し式エレメントの最上の横木は、共に脚立の一つの横木を形成する。上述のように引き込まれた状態では、内側引き出し式エレメントは、次の外側引き出し式エレメントに完全に収容されることから、引き伸ばされた状態において内側引き出し式エレメントは、外側引き出し式エレメントを直接に包囲しない一つの横木を有する。
【００１８】
脚立は、接合箇所においてストッパに達するまで、例えば約（ca.）９０度の角度まで、旋回可能である。このことは、一旦、保持手段の外へそれが移動すれば、ユーザーが運転室へあるいは移動式装置の下部構造の歩行デッキに登るために脚立を使用可能なように、脚立は接合箇所において旋回することができることを意味する。接合箇所及び保持手段によって脚立が移動式装置に固定して接続され、よって保持手段が装着される場所が選択されてもよいことから、移動式装置は、また、脚立が下へ旋回し伸ばされた状態で建設現場で運転することができる。さらに、例えば、下へ旋回され伸ばされた状態において脚立が移動式装置における追加の保持エレメントにおいて固定されることができれば、あるいは例えば移動中に脚立が外側へ揺れるのを防ぐためにクリップで止めることができれば、これらはまた利点であるかもしれない。
【００１９】
その引き出し式エレメントは、互いに関して直線的に押すあるいは移動することができるが、互いに関して旋回することはできず、代わりに、延在した状態における直線状の脚立を形成する。
【００２０】
脚立が引き込まれた状態において保持手段に保持あるいは収容されたとき、脚立が不必要に伸びる、及び／又は不必要に開口から外に出るのを防止するように固定されるのが好ましい。それは、例えば上で述べたカバーによって固定されてもよく、これは、閉じられ及び／又はロックされた状態において、脚立が不必要に伸びる、及び／又は不必要に保持手段の外に出るのを防止する。あるいはまた、機械的な、油圧の、あるいは電気的なロック装置が設けられてもよく、これは、例えばユーザーが保持手段の外に脚立を移動可能な前に、ユーザーによって解放されなければならない。脚立は、例えば、手によって、あるいは手に設けたボタンを押すことによって、運転室から操作可能なポータブル・リモートコントロールあるいはシステムによって、ロックを解除することができる。車両が動き始めるときに脚立が保持手段に固定されていないことをドライバーに示すディスプレイも運転室に設けられてもよい。このような理由から、もし移動中に脚立が伸びたならば重大な危険を移動にもたらすことから、始動ロックを設けることもまた考えられるだろう。
【００２１】
脚立がユーザーによって移動され伸ばされることは好ましいが、ユーザーによって脚立が保持手段の外へ少なくとも部分的に移動され、把持され、旋回され、伸ばされることができる、駆動装置を有する引き出し可能な折りたたみ式登り補助器具を提供することもまた可能だろう。また、この折りたたみ式登り補助器具は、完全に自動化されたものにおいて、保持手段の外へ移動され、伸ばされ、旋回され、そして逆の手順で保持手段内へ戻ってもよい。この点において、一旦、脚立が保持手段の外へ移動されたならば、脚立が最初に伸ばされそして旋回するか、最初に旋回しそして伸ばされるかどうかは無関係である。
【００２２】
脚立用の保持手段は、運転室あるいは下部構造の歩行デッキの下に完全に配置されるような方法において、移動式装置に取り付けられてもよい。脚立が保持手段に完全に収容されるとき、脚立もまた完全に運転室あるいは歩行デッキの下に好ましくは隠れる。言い換えれば、脚立も保持手段も運転室あるいは下部構造の歩行デッキの端を越えて突出しない。このことは、事故の危険を防ぎ、よって操作の安全性を増す。これはまた、移動しているあるいは駐車された移動式装置に魅力的な外観を与え、折りたたみ式登り補助器具の外観を損なわない。
【００２３】
別の利点は、歩行デッキあるいは運転室の外側に置かれた折りたたみ式登り補助器具の輪郭が、クレーンにおいて典型的に使用される他の要素、例えば後部保管箱、回転テーブルに乗せられた釣り合いおもり、及び／又は下部構造、あるいは回転中心周りに回転する他の要素、例えば旋回装置、ロータリーエンコーダー、ピニオンガードなどと破壊的で衝突危険の無いものであるということである。脚立を有する保持手段用の固定装着場所を設けることは、車両における他のどこかから脚立を取って来て、それを登り補助器具場所へ運ぶ必要性を省く。
【００２４】
この発明は、また、上述したタイプの折りたたみ式登り補助器具を有する、運転室及び／又は歩行デッキを有する移動式装置に関する。折りたたみ式登り補助器具は、運転室及び／又は歩行デッキの下の場所にて移動式装置に接続してもよい。この場合、もし伸ばされたはしごが床まで届かない場合には、移動式装置は、折りたたみ式登り補助器具を前もって収納位置へ移動させることなく、配置現場において移動可能であるのが好ましい。
【００２５】
この発明によって提案された、折りたたみ式登り補助器具のより詳細な説明は、添付の図面を参照して以下に述べられるだろう。しかしながらこの発明は、例として図示された実施形態に制限されない。発明に本質的である、図にのみ示すことができる特徴は、主題に有利な特徴を与えるために、個々に、そして少なくとも図示した組み合わせにおいて使用されてもよい。
【図面の簡単な説明】
【００２６】
【図１】上方から見た歩行デッキであり、その下には配置された折りたたみ式登り補助器具を有する。
【図２】歩行デッキから外へ伸びた折りたたみ式登り補助器具である。
【図３】旋回された後の折りたたみ式登り補助器具である。
【図４】伸ばされた脚立を有する折りたたみ式登り補助器具である。
【図５】伸ばされた脚立の拡大図である。
【発明を実施するための形態】
【００２７】
図１は、移動式装置の歩行デッキ７の一部を図示する。破線によって示すように、保持手段２（不図示）に収容された脚立１は、歩行デッキ７の下に配置される。示されているかもしれないように、歩行デッキ７の下方へ曲げられた前面７ａに開口８が存在し、それは例えばカバー手段によって閉じることができる。脚立１は、保持手段２の外へ開口８を通り移動することができる。
【００２８】
図２は、この例では破線にて示される保持手段２の外へ移動された脚立１を図示している。保持手段２あるいは保持手段２の長手方向の側面は、脚立１用のガイド３として同時に役立つ。脚立１は、ユーザーの手によって保持手段２の外へ引っ張ることができ、あるいはまた、折りたたみ式登り補助器具が、不図示だが、駆動装置を有してもよく、それによって脚立１は図示した位置へ移動することができる。
【００２９】
図２は、３つの横木５を有する最も外側の引き出し式エレメント１３を示す。また、示されているかもしれないように、横木５は、脚立１の長手方向の側面１ａ、１ｂと協同してフレームを形成する平坦部分５ａ、５ｂから作製される。平坦部分５ａ、５ｂは、登っている間、靴底に確実な保持を与えるようにそれらの上面に形状加工（profiling）を有する。例として図示した実施形態では、これは、靴が横木５上で横に滑るのを防止するノッチの形態をとる。
【００３０】
図３では、脚立１は、歩行デッキ７の、下方へ曲がった前面７ａに対して旋回された位置にて図示されている。この目的のため、ガイド３と脚立１の一端とは、脚立１がその周りに旋回可能な接合箇所４を共に形成する。例として図示した実施形態では、歩行デッキ７の、下方へ曲がった前面７ａ一部は、脚立１の旋回移動を制限するために、ストッパとして作用する。あるいはまた、ガイド３は、下方へ曲がった前面７ａに面するその端において脚立１の旋回移動を制限するためのストッパを組み込んでもよい。
【００３１】
図４及び図５は、伸ばされた脚立１を示す。例として図示した実施形態では、脚立１は、３つの引き出し式エレメント、つまり最も外側の引き出し式エレメント１３、中間の引き出し式エレメント１２、及び最も内側の引き出し式エレメント１１、を有する。中間の引き出し式エレメント１２は、最も外側の引き出し式エレメント１３用の次の内側引き出し式エレメントを構成し、同時に、最も内側の引き出し式エレメント１１用の次の外側引き出し式エレメントを構成する。
【００３２】
したがって、特に図５から分かるかもしれないように、次の内側引き出し式エレメント１１、１２は、次の外側引き出し式エレメント１２、１３にガイドされ保持される。
【００３３】
図４から明らかに分かるかもしれないように、個々の引き出し式エレメント１１、１２、１３の幅及び深さは異なる。このことは、それぞれの内側引き出し式エレメント１１、１２は、それぞれの外側引き出し式エレメント１２、１３用の滑り込み手段を構成するということの結果である。言い換えれば、引き出し式エレメント１１及び引き出し式エレメント１２のそれぞれの最下の横木５の２つの底面が少なくとも一つの面に存在するまで、引き出し式エレメント１１は引き出し式エレメント１２内へ押すことができ、引き出し式エレメント１２は、それぞれの最下の横木５の３つ全ての底端が少なくとも一つの面に存在するまで、引き出し式エレメント１３内へ押すことができる。この記述における「少なくとも一つの面に存在する」は、内側引き出し式エレメント１１，１２のそれぞれは、また、それぞれの外側引き出し式エレメント１２，１３内へさらに押すことができるということを意味するとして理解されるべきである。
【００３４】
脚立１が完全に引き込まれたとき、最も外側の引き出し式エレメント１３の外寸法は、引き込まれた脚立１の外寸法に相当する。
【００３５】
図４及び図５は、また、脚立１に基づいた折りたたみ式登り補助器具のコンパクトな構造を非常に写実的に図示している。引き込まれた状態において、実施形態のこの例における脚立１は、３つの横木５を有する。もし引き出し式エレメント１３及び引き出し式エレメント１２が折り畳まれる蝶番によって接続されるとしたならば、脚立は、折り畳みが開かれたときと同じ長さの最高５つの横木を有することになるであろう。折り畳まれた脚立の長さは、入れ子式脚立１の長さよりも大きくなるであろう。もし脚立１が回転設計に基づく折り畳まれたはしごであるとしたならば、同じ長さの３つのみ、最大４つの横木を有することになるであろう。しかしながら、例として図示した実施形態における入れ子式脚立１は、６つの横木５を有し、それによって同じ長さ及び低減された高さの少なくとも一つの横木５という利点、及びユーザーに関して快適であるという利点を提供する。
【符号の説明】
【００３６】
１  脚立
１ａ  長手方向の側面
１ｂ  長手方向の側面
２  保持手段
３  ガイド
４  蝶番
５  横木
５ａ  平坦部分
５ｂ  平坦部分
６  ストッパ
７  歩行デッキ
７ａ  下方へ曲げられた前面
８  開口
１１  引き出し式エレメント
１２  引き出し式エレメント
１３  引き出し式エレメント
【図１】
2015516332.tif 000003
【図２】
2015516332.tif 000004
【図３】
2015516332.tif 000005
【図４】
2015516332.tif 000006
【図５】
2015516332.tif 000007
【国際調査報告】
2015516332.tif 000008
2015516332.tif 000009
2015516332.tif 000010
2015516332.tif 000011
2015516332.tif 000012
2015516332.tif 000013
2015516332.tif 000014
2015516332.tif 000015